(57)【要約】【課題】種類が異なる光中継機能モジュールをそれぞれ共通の監視制御通信機能部及び電源部に適用することが可能である光通信装置を提供する。【解決手段】電源ポート１０２と、ネットワークを介して警報の監視や設定変更の制御が可能な通信ポート１０３と、プログラムによって動作を変更可能に構成された電気回路部１０６を備えるホストボード１０１とをそれぞれ一つ以上有するとともに、二つの光送受信モジュール１０８，１０９を搭載する光通信装置において、光送受信モジュール１０８，１０９を搭載したアダプタ部１０２を、電気的な入出力を行うパラレルコネクタ１１２によってホストボード１０１に着脱自在に接続する構成とした。【選択図】図１
2007312266.tif 000002
【特許請求の範囲】
【請求項１】
ネットワークを介して警報の監視や設定変更の制御が可能な通信ポートと、電源ポートと、プログラムによって動作を変更可能に構成された電気回路部を備えた信号処理手段とをそれぞれ一つ以上有するとともに、一つ以上の光中継機能モジュールを具備する光通信装置であって、
前記光中継機能モジュールを搭載するアダプタ部を備え、前記アダプタ部は、複数の電気的な入出力を行う信号処理手段用電気的接続手段によって前記信号処理手段に接続され、前記信号処理手段に対して着脱可能である
ことを特徴とする光通信装置。
【請求項２】
請求項１記載の光通信装置において、
前記電気的接続手段は、複数の電気的接続手段が並列一体化されたパラレルコネクタである
ことを特徴とする光通信装置。
【請求項３】
請求項１又は請求項２記載の光通信装置において、
前記電気的接続手段は、前記信号処理手段および前記アダプタ部間で電源電力の伝達および監視制御情報の伝達を行う
ことを特徴とする光通信装置。
【請求項４】
請求項３記載の光通信装置において、
前記電気的接続手段は、さらに、前記信号処理手段および前記アダプタ部間でシリアル・デジタル信号による監視制御情報の伝達を行う
ことを特徴とする光通信装置。
【請求項５】
請求項１乃至請求項４のいずれかに記載の光通信装置において、
前記光中継機能モジュールは、二つの光送受信モジュールであって、
前記アダプタ部の内部において、前記二つの光送受信モジュールの電気的インタフェースが対向に接続され、
前記光送受信モジュールは、それぞれ複数の電気的な入出力を行う光送受信モジュール用電気的接続手段によって前記アダプタ部に着脱自在に接続され、
光信号は、前記光送受信モジュール、又は前記光送受信モジュールおよびアダプタ部によって中継される
ことを特徴とする光通信装置。
【請求項６】
請求項１乃至請求項４のいずれかに記載の光通信装置において、
前記光中継機能モジュールは、一つの光増幅モジュールであって、
複数の電気的な入出力を行う光増幅モジュール用電気的接続手段によって前記アダプタ部に着脱自在に接続され、
光信号は前記光増幅モジュール、又は前記光増幅モジュール及び前記アダプタ部によって光のまま中継される
ことを特徴とする光通信装置。
【請求項７】
請求項５記載の光通信装置用のアダプタ部であって、
前記光送受信モジュール用電気的接続手段によって所望の二つの前記光送受信モジュールをそれぞれ着脱自在に接続可能であり、内部において、前記二つの光送受信モジュールの電気的インタフェースを対向に接続すると共に、
前記信号処理手段用電気的接続手段を介して前記信号処理手段と着脱自在に接続可能な構成とした
ことを特徴とする光通信装置用アダプタ部。
【請求項８】
請求項６記載の光通信装置用のアダプタ部であって、
前記光増幅モジュール用電気的接続手段によって所望の一つの光増幅モジュールをそれぞれ着脱自在に接続可能であると共に、
前記信号処理手段用電気的接続手段を介して前記信号処理手段と着脱自在に接続可能な構成とした
ことを特徴とする光通信装置用アダプタ部。
【発明の詳細な説明】
【技術分野】
【０００１】
本発明は、光ファイバを媒体として通信を行うための光通信装置及び光通信装置用アダプタ部に関し、特に、光信号を中継するための装置の構成に関する。
【背景技術】
【０００２】
光信号を中継するための装置に、光−電気−光変換通信装置がある。例えば、特許文献１には、図３に構成を示したような光中継装置が詳述されている。図３に示すように、光中継装置は光中継機能モジュールとして二つの光送受信モジュール３０８，３０９を備えている。光送受信モジュール３０８，３０９は光中継装置に対してプラガブル構造を有しており、電気的波形整形手段または信号再生手段３１５を介して相互に電気的に接続されている。光送受信モジュール３０８，３０９には、それぞれ光入出力コネクタ３１３，３１４を介して光信号が入出力される。なお、図３中、一重線で示す矢印は電気的な入出力を示し、二重線で示す矢印は光信号の経路を示している。
【０００３】
光中継装置は、光信号を光送受信モジュール３０８の受信部で電気信号に変換し、この電気信号を電気的波形整形手段または信号再生手段３１５によって光送受信モジュール３０９へ伝達するのに適した波形に整形して光送受信モジュール３０９に伝え、光送受信モジュール３０９の送信部でこれを再び光信号に変換すること、また、光信号を光送受信モジュール３０９の受信部で電気信号に変換し、電気的波形整形手段または信号再生手段３１５を介して光送受信モジュール３０８に電気信号として伝え、光送受信モジュール３０８の送信部でこれを再び光信号に変換することが可能となっている。
【０００４】
即ち、当該光中継装置は双方向の光ファイバ通信における光中継装置として利用できる。また、所望の波長の発光素子を有する光送受信モジュールを適用すれば、波長変換装置としても利用できる。
【０００５】
図４に、図３に示した光送受信モジュール３０８，３０９の構成例を示す。図４中、破線で示す矢印は診断に関わる信号経路を示し、実線で示す矢印は一重線が主信号に関わる信号経路を示し、二重線が光信号の経路を示している。図４に示すように、送信信号はシリアルの電気信号として光送受信モジュール３０８（又は３０９）に入力され、発光素子駆動手段３１６によって、発光素子３１７を駆動するのに適切な強度、オフセット（バイアス）を与えられ、発光素子３１７によって、光信号として、光入出力コネクタ３１３（又は３１４）を介して出射される。
【０００６】
受信信号は、光入出力コネクタ３１３（又は３１４）を介して入射し、受光素子３１８によって光信号から電気信号に変換され、波形整形手段または信号再生手段３１９によって、電気信号として別の装置へ伝達するのに適した波形に整形される。また、発光素子３１７、発光素子駆動手段３１６、受光素子３１８、波形整形手段または信号再生手段３１９の状態を監視・診断・制御するための電気回路３２０を有し、この電気回路３２０は、主信号（送信信号と受信信号）とは異なる端子によって、監視制御信号を送受信する。
【０００７】
例えば、発光素子３１７の発光パワ、受光素子３１８の受光パワを監視・診断したり、発光素子駆動手段３１９の動作を必要に応じて停止させるなどの監視制御を行うことを可能とする。
【０００８】
一方、光信号を中継するための他の装置として、光信号を電気信号に変換せずに光のまま増幅させる光増幅装置がある。例えば、特許文献２には、エルビウム添加光ファイバを用いた光ファイバ増幅器が詳述されている。光ファイバ増幅器は、一般的に、光増幅モジュールとして製造され、監視制御機能や電源供給機能を備える光通信装置に組み込まれる。
【０００９】
図５に一般的な光中継機能モジュールとしての光増幅モジュールの例を示す。図５中、破線で示す矢印は診断に関わる信号経路を示し、実線で示す矢印は一重線が増幅器の制御に関わる信号経路を示し、二重線で示す矢印は光信号の経路を示している。
【００１０】
図５に示すように、光増幅モジュール４０８は、光入力コネクタ４１３から入力される光信号を、増幅媒体４２１において、光のまま増幅して光出力コネクタ４１４から出力するものである。増幅媒体４２１は例えば、エルビウム添加光ファイバであり、励起光源はエルビウム添加ファイバを励起するための、例えば、波長９８０ｎｍ近傍、または、波長１４８０ｎｍ近傍の連続光を出力するレーザであり、その出力は、波長多重分離器４２２を介して増幅媒体４２１に導入される。
【００１１】
光増幅モジュール４０８の光信号の入力側及び出力側には、それぞれ光パワをモニタするための分岐器４２３，４２４が配置されており、受光素子４１８，４１９によってタップした光パワを電気パワに変換して、パワをモニタする。電気回路４２０は、例えば、入力パワが変化しても、入力パワと出力パワの比率を常に一定（例えば１０ｄＢ）になるように、励起光源駆動回路４１６が発生する電流値を制御するような機能や、入力パワが所定以下（例えば−３０ｄＢｍ以下）となった場合に、励起光源駆動回路４１６が発生する電流を停止する機能などを備える。また、この電気回路４２０は、励起光源４１７の出力パワや、励起光源駆動回路４１６の出力電流を正常状態かどうか監視・診断する。
【００１２】
【特許文献１】特開２００５−０８０２４３号公報
【特許文献２】特開平０４−３５６９８４号公報
【発明の開示】
【発明が解決しようとする課題】
【００１３】
しかしながら、上述したような光送受信モジュール３０８，３０９と、光増幅モジュール４０８とでは、形状が一般的に異なっており、これらを搭載する光通信装置、特に、光信号を中継するための装置は、光送受信モジュール３０８，３０９及び光増幅モジュール４０８、即ち光中継機能モジュール以外の構成は共通しているものの、光送受信モジュール３０８，３０９を用いる場合と光増幅モジュール４０８を用いる場合とで、それぞれ異なる装置が用いられていた。従って、装置を短期間で提供するためにはそれぞれの装置の在庫を適当な数だけ持つ必要があった。
【００１４】
さらに、光中継機能モジュールとして、光送受信モジュール３０８，３０９、光増幅モジュール４０８のいずれかを搭載する光通信装置を利用形態に応じて選択・交換したい場合には、装置全体を選択・交換する必要があるため、製造コストがかかる等の問題があった。
【００１５】
このようなことから本発明は、種類が異なる光中継機能モジュールをそれぞれ共通の監視制御通信機能部及び電源部に適用することが可能である光通信装置を提供することを目的とする。
【課題を解決するための手段】
【００１６】
上記の課題を解決するための本発明の請求項１に係る光通信装置は、ネットワークを介して警報の監視や設定変更の制御が可能な通信ポートと、電源ポートと、プログラムによって動作を変更可能に構成された電気回路部を備えた信号処理手段とをそれぞれ一つ以上有するとともに、一つ以上の光中継機能モジュールを具備する光通信装置であって、前記光中継機能モジュールを搭載するアダプタ部を備え、前記アダプタ部は、複数の電気的な入出力を行う信号処理手段用電気的接続手段によって前記信号処理手段に接続され、前記信号処理手段に対して着脱可能であることを特徴とする。
【００１７】
上記の課題を解決するための本発明の請求項２に係る光通信装置は、請求項１記載の光通信装置において、前記電気的接続手段として複数の電気的接続手段が並列一体化されたパラレルコネクタを用いることを特徴とする。
【００１８】
上記の課題を解決するための本発明の請求項３に係る光通信装置は、請求項１又は請求項２記載の光通信装置において、前記電気的接続手段は、前記信号処理手段および前記アダプタ部間で電源電力の伝達および監視制御情報の伝達を行うことを特徴とする。
【００１９】
上記の課題を解決するための本発明の請求項４に係る光通信装置は、請求項３記載の光通信装置において、前記電気的接続手段は、さらに、前記信号処理手段および前記アダプタ部間でシリアル・デジタル信号による監視制御情報の伝達を行うことを特徴とする。
【００２０】
上記の課題を解決するための本発明の請求項５に係る光通信装置は、請求項１乃至請求項４のいずれかに記載の光通信装置において、前記光中継機能モジュールは、二つの光送受信モジュールであって、前記アダプタ部の内部において、前記二つの光送受信モジュールの電気的インタフェースが対向に接続され、前記光送受信モジュールは、それぞれ複数の電気的な入出力を行う光送受信モジュール用電気的接続手段によって前記アダプタ部に着脱自在に接続され、光信号は、前記光送受信モジュール、又は前記光送受信モジュールおよびアダプタ部によって中継されることを特徴とする。
【００２１】
上記の課題を解決するための本発明の請求項６に係る光通信装置は、請求項１乃至請求項４のいずれかに記載の光通信装置において、前記光中継機能モジュールは、一つの光増幅モジュールであって、複数の電気的な入出力を行う光増幅モジュール用電気的接続手段によって前記アダプタ部に着脱自在に接続され、光信号は前記光増幅モジュール、又は前記光増幅モジュール及び前記アダプタ部によって光のまま中継されることを特徴とする。
【００２２】
上記の課題を解決するための本発明の請求項７に係る光通信装置用アダプタ部は、請求項５記載の光通信装置用のアダプタ部であって、前記光送受信モジュール用電気的接続手段によって所望の二つの前記光送受信モジュールをそれぞれ着脱自在に接続可能であり、内部において、前記二つの光送受信モジュールの電気的インタフェースを対向に接続すると共に、前記信号処理手段用電気的接続手段を介して前記信号処理手段と着脱自在に接続可能な構成としたことを特徴とする。
【００２３】
上記の課題を解決するための本発明の請求項８に係る光通信装置用アダプタ部は、請求項６記載の光通信装置用のアダプタ部であって、前記光増幅モジュール用電気的接続手段によって所望の一つの光増幅モジュールをそれぞれ着脱自在に接続可能であると共に、前記信号処理手段用電気的接続手段を介して前記信号処理手段と着脱自在に接続可能な構成としたことを特徴とする。
【００２４】
なお、本発明において、信号処理手段用電気的接続手段はアダプタ部と信号処理手段との間で複数の電気的な入出力を行う接続手段であり、光送受信モジュール用電気的接続手段はアダプタ部と光送受信モジュールとの間で複数の電気的な入出力を行う接続手段、光増幅モジュール用電気的接続手段はアダプタ部と光増幅モジュールとの間で複数の電気的な入出力を行う接続手段である。
【発明の効果】
【００２５】
上述した本発明に係る光通信装置によれば、光ファイバを媒体として通信を行うための光通信装置、特に、光信号を中継するための装置において、光中継機能モジュールを搭載するアダプタ部を設け、このアダプタ部を、信号処理手段用電気的接続手段によって信号処理手段に接続すると共に、信号処理手段に対して着脱自在、即ち信号処理手段に対して分離可能な構成としたことにより、共通の監視制御通信機能部及び電源部を用いながら、光中継機能モジュールとして、光送受信モジュールまたは光増幅モジュールのいずれも適用可能とすることができる。
【００２６】
このように監視制御通信機能部、電源部の共通化を可能としたことにより、装置全体の製造コストを低減するとともに、装置の監視制御通信機能部、電源部の在庫を低減することができ、さらには、装置の短期間での製造・提供が可能となる。
【００２７】
さらに、光中継機能モジュール部分はアダプタ部の挿抜により簡単に交換可能であるため、要望に応じて所望のものに交換可能であり、様々な利用形態に柔軟に対応することが可能となる。また、光中継機能モジュールまたはアダプタ部を部分的に交換することができるため、故障時等における迅速な対応が可能となる。
【００２８】
さらに加えて、光通信装置用のアダプタ部を、光送受信モジュール又は光増幅モジュールを着脱自在に接続可能な構成とすれば、それぞれ異なる光送受信モジュールまたは光増幅モジュールを必要に応じて交換することが可能となるために、より利便性が向上する。
【発明を実施するための最良の形態】
【００２９】
以下に、本発明の実施形態の一例を説明する。本実施形態は、ネットワークを介して警報の監視や設定変更の制御が可能な通信ポート、電源ポート、プログラムによって動作を変更できる信号処理手段をそれぞれ一つ以上有するとともに、一つ以上の光中継機能モジュールを搭載する光通信装置において、光増幅モジュール又は光送受信モジュール等の光中継機能モジュールを搭載するアダプタ部をモジュール化し、光中継機能モジュールを搭載する装置を共通化するものである。
【００３０】
具体的には、例えばプログラムによって動作を変更可能に構成された電気回路を備えた信号処理手段と、光中継機能モジュールを搭載するアダプタ部とを、複数の電気的入出力を行う信号処理手段用電気的接続手段としてのパラレルコネクタによって着脱自在、即ちアダプタ部を信号処理手段から分離可能に接続し、光信号を光中継機能モジュール、または、光中継機能モジュールおよびアダプタ部により中継してパラレルコネクタを介して電源の伝達と監視制御情報の伝達を行うことを特徴とする。
【００３１】
上述した本実施形態によれば、光中継機能モジュールを搭載するアダプタ部を信号処理手段に対して着脱自在に電気的に接続する構成としたことにより、利用形態に応じてアダプタ部を交換することで所望の光中継機能モジュールを共通の装置に適用することが可能となる。これにより、装置全体の製造コストの低減、監視制御通信機能部、電源部の在庫を低減することができ、さらには、装置の短期間での製造・提供が可能となる。更に、様々な利用形態に柔軟に対応することが可能となる。
【実施例１】
【００３２】
以下、図に基づいて本発明の第１の実施例を詳細に説明する。図１に本実施例に係る光通信装置の構成を模式的に示す。
【００３３】
図１に示すように、本実施例において光通信装置は信号処理手段としてのホストボード１０１およびアダプタ部１０２からなる。ホストボード１０１は、電源ポート１０３および通信ポート１０４を介して、図示しない電源部および監視制御ネットワークとそれぞれ接続されている。ホストボード１０１にはアダプタ部１０２と監視制御情報のやりとりを行うとともに、装置のステータスを表示するＬＥＤランプ群１０５の駆動を行う、電気回路部１０６が設けられている。ＬＥＤランプ群１０５は複数のＬＥＤランプから構成されているものとし、電気回路部１０６はプログラムによって動作を変更可能に構成されているものとする。
【００３４】
またホストボード１０１は、上記電源部から電源ポート１０３を介して電気回路部１０６およびアダプタ部１０２へ駆動電圧を供給するにあたり、必要に応じて電圧変換手段１０７を備えるものとする。電圧変換手段１０７は、ＤＣ−ＤＣコンバータ等であって、集積回路の仕様に応じて例えば２４Ｖを５Ｖに変換、５Ｖを３．３Ｖに変換するなど、電圧を変換する手段である。
【００３５】
アダプタ部１０２は、２個の光送受信モジュール１０８，１０９を搭載し、光送受信モジュール１０８に入力された受信信号を光送受信モジュール１０９の送信信号として中継すること、また、光送受信モジュール１０９の受信信号を光送受信モジュール１０８の送信信号として中継することで、光中継機能を実現するものである。すなわち、光送受信モジュール１０８，１０９は光中継機能モジュールの一例として用いられる。光送受信モジュール１０８，１０９に対する光信号の入出力は光入出力コネクタ１１３，１１４を介して行われる。
【００３６】
光送受信モジュール１０８，１０９はそれぞれアダプタ部１０２に対して７つの電気的端子ａ〜ｇを備えている。これらの端子ａ〜ｇは電気的信号の送信、受信、又は送受信を行うものである。表１に、光送受信モジュール１０８，１０９が送信、受信、又は送受信を行う電気的信号の例を示す。
【００３７】
【表１】
2007312266.tif 000003
【００３８】
すなわち、端子ａ，ｂは、ＲＳ−２３２ＣやＩ２Ｃなどの所定のプロトコルに基づくシリアル・デジタル・インタフェースを用いるとともに、例えば差動信号により情報をやりとりする端子である。
【００３９】
また、端子ｃ，ｄは、二値の電圧レベルによって各種の監視制御情報を独立してやりとりする一つ以上の配線であり、端子ｃは光送受信モジュール１０８，１０９の受信信号喪失（ロス・オブ・シグナル）を、例えばＴＴＬと呼ばれる電圧レベルを用いてホストボード１０１に伝達する。例えば、受信信号がある場合を電圧レベルローとして伝達し、受信信号がない場合を電圧レベルハイとして伝達する。端子ｄは光送受信モジュール１０８，１０９の送信信号停止を、例えば同様にＴＴＬと呼ばれる電圧レベルを用いてホストボード１０１から制御する。
【００４０】
端子ｅは主信号の電気的出力端子、端子ｆは主信号の電気的入力端子であり、他方の光送受信モジュール１０８又は１０９に対して主信号を中継するために用いられる。端子ｇは、ホストボード１０１から光送受信モジュール１０８，１０９、および、必要に応じてアダプタ部１０２が電源供給を受けるための端子である。
【００４１】
光送受信モジュール１０８，１０９は、アダプタ部１０２にそれぞれ光送受信モジュール用電気的接続手段としてのパラレルコネクタ１１０，１１１を介して着脱自在に接続されている。すなわち、パラレルコネクタ１１０，１１１の挿抜を行うことでアダプタ部１０２に対して容易に分離可能となっている。これにより、利用形態、例えば適用距離、波長などに応じて所望の種別の光送受信モジュールをアダプタ部１０２に接続することで、様々な種別の光送受信モジュールを利用できる構成となっている。
【００４２】
また、ホストボード１０１とアダプタ部１０２とは、信号処理手段用電気的接続手段としての少なくとも１０の端子を有するパラレルコネクタ１１２によって容易に挿抜を行えるように着脱自在に接続され、用途に応じてアダプタ部１０２を交換することが可能となっている。パラレルコネクタ１１２により、例えば光送受信モジュール１０８，１０９のそれぞれの端子ａ〜ｄは電気回路部１０６、端子ｇは電圧変換手段１０７と、アダプタ部１０２を介して電気的に接続されている。
【００４３】
パラレルコネクタ１１０，１１１，１１２は、例えば、パソコンの拡張カードなどに用いられるカードエッジコネクタを用いれば、高接信頼性と挿抜性に優れるとともに、汎用性が高く低コストな構成とすることができる。
【００４４】
ＬＥＤランプ群１０５は、複数のＬＥＤランプのうち、例えば、一つのＬＥＤランプによって電源状態について電源オンの状態を点灯で示すとともに、他のＬＥＤランプによってそれぞれの光送受信モジュール１０８，１０９の受信信号状態について受信信号状態の喪失を点灯で示し、さらに、別のＬＥＤランプによってそれぞれの光送受信モジュール１０８，１０９の送信信号状態について送信信号状態の停止を点灯で示すものとする。
【００４５】
ホストボード１０１に搭載される電気回路部１０６はプログラムによって動作を変更できるものであり、例えば、ＦＰＧＡ若しくはチップ集積型マイクロコンピュータ、又はその両者の組み合わせとし、搭載する光中継機能モジュールの変更に対して、プログラムを書き換えて対応するものとする。
【００４６】
なお、ホストボード１０１に搭載される電気回路部１０６とは別に、アダプタ部１０２に電気回路部を設け、これによって一旦監視制御情報を処理するとともに、メモリに情報を蓄えて、効率的に、ホストボード１０１と監視制御情報をやりとりする構成としてもよい。
【００４７】
上述した本実施例に係る光通信装置によれば、電気回路部１０６と、光送受信モジュール１０８，１０９を搭載したアダプタ部１０２とをパラレルコネクタ１１２によって着脱自在に接続する構成としたことにより、利用形態に応じてアダプタ部を交換することができるため、様々な種類の光中継機能モジュールを共通の電気回路部１０６に適用することが可能となる。
【００４８】
即ち、共通のホストボード１０１を用いながら、様々な種類の光中継機能モジュールを適用可能とすることができるために、装置全体の製造コストを低減するとともに、ホストボード１０１の在庫を低減することができ、さらには、装置の短期間での製造・提供が可能となる。
【００４９】
さらに、アダプタ部１０２を容易に交換可能であるために、要望に応じて様々な利用形態に柔軟に対応することが可能となる。また、光送受信モジュール１０８，１０９またはアダプタ部１０２を部分的に交換することができるため、故障時等における迅速な対応が可能となる。
【実施例２】
【００５０】
以下、図に基づいて本発明の第２の実施例を詳細に説明する。図２に本実施例に係る光通信装置の構成を模式的に示す。図２中、一重線で示した経路は電気的な経路であり、二重線で示した経路は光学的な経路を表しているものとする。以下、図１に示し上述した部材と同一の部材については同符号を用いて説明は省略し、異なる部材を中心に説明する。
【００５１】
図２に示すように、本実施例における光通信装置は、アダプタ部２０２およびホストボード１０１からなる。本実施例におけるアダプタ部２０２は、上述した実施例１とは異なり、光増幅モジュール２０８を１個搭載し、これにより光中継機能を提供している。すなわち、光増幅モジュール２０８は光中継機能モジュールの一例として用いられる。なお、光増幅モジュール２０８に対する光信号の入出力は、光入力コネクタ２１３及び光出力コネクタ２１４を介して行われる。
【００５２】
光増幅モジュール２０８は、光増幅モジュール接続用パラレルコネクタ１１０によってアダプタ部２０２に着脱自在に接続され、アダプタ部２０２に対して容易に挿抜可能、即ち分離可能な構成となっている。このような構成とすることにより、共通のアダプタ部２０２に、増幅波長帯域、利得出力パワなど、利用形態に応じて様々な種別の光増幅モジュールを搭載することができる。
【００５３】
本実施例においては、光増幅モジュール２０８はアダプタ部２０２に対して電気的信号の送信、受信、または送受信に用いられる６つの電気的端子ｈ〜ｍを備えている。表２に、光増幅モジュール２０８が送信、受信、又は送受信を行う電気的信号の例を示す。
【００５４】
【表２】
2007312266.tif 000004
【００５５】
すなわち、端子ｈ，ｉは、ＲＳ−２３２ＣやＩ２Ｃなどの所定のプロトコルに基づくシリアル・デジタル・インタフェースを用いるとともに、例えば差動信号により情報をやりとりする２つの端子である。
【００５６】
また、端子ｊ，ｋは、二値の電圧レベルによって各種の監視制御情報を独立してやりとりする１つ以上の配線であり、端子ｊは、例えば光増幅モジュール２０８の入力側の受光素子によってモニタされる入力信号喪失を、ＴＴＬと呼ばれる電圧レベルを用いてホストボード１０１に伝達する。そして、例えば入力信号が有る場合を電圧レベルローとして伝達し、入力信号が無い場合を電圧レベルハイとして伝達する。また、端子ｋは、例えば光増幅モジュール２０８の励起光源の駆動電流を低下または遮断することによって実施される出力信号停止を、例えばＴＴＬと呼ばれる電圧レベルを用いてホストボード１０１から制御する。
【００５７】
端子ｌ，ｍは、ホストボード１０１から光増幅モジュール２０８、および、必要に応じてアダプタ部２０２が電源提供を受けるための端子である。
【００５８】
光増幅モジュール２０８は、アダプタ部２０２にそれぞれ光増幅モジュール用電気的接続手段としてのパラレルコネクタ２１０を介して着脱自在に接続されている。すなわち、パラレルコネクタ２１０の挿抜を行うことでアダプタ部２０２に対して容易に分離可能となっている。これにより、利用形態、例えば適用距離、波長などに応じて所望の種別の光増幅モジュールをアダプタ部２０２に接続することができるために、一つのアダプタ部２０２で様々な種別の光増幅モジュール２０８を利用できる構成となっている。
【００５９】
また、ホストボード１０１とアダプタ部２０２は図１に示し上述した実施例１と同一のパラレルコネクタ１１０で着脱自在に接続され、容易に挿抜可能となっている。ホストボード１０１に搭載される電気回路部１０６はプログラムを変更することで動作を変更できるため、図１に示した光中継装置に対してアダプタ部２０２のみを交換することで、ホストボード１０１、電源ポート１０３及び通信ポート１０４等、監視制御機能部分及び電源供給機能部分を共通化することができる。
【００６０】
これにより、利用形態に応じてアダプタ部２０２を交換することにより共通の装置に所望の光中継機能モジュールを適用することができる。従って、装置全体を取り替える必要がなく、製造コストを低減するとともに、装置の監視制御通信機能部、電源部の在庫を低減することができる。
【００６１】
ＬＥＤランプ群１０５についても、上述した実施例１と同様に、ホストボード１０１に搭載される電気回路部１０６のプログラム変更により、その種別および点灯条件を変更する。例えば、一つのＬＥＤランプによって電源状態について電源オンの状態を点灯で示すとともに、他のＬＥＤランプによって光増幅モジュール２０８の入力信号状態について入力信号状態の喪失を点灯で示し、さらに、別のＬＥＤランプによって光増幅モジュール２０８の出力信号状態について出力信号状態の停止を点灯で示すものとする。
【００６２】
上述した本実施例に係る光通信装置によれば、電気回路部１０６と、光増幅モジュール２０８を搭載したアダプタ部２０２とをパラレルコネクタ１１２によって着脱自在に接続する構成としたことにより、利用形態に応じてアダプタ部を交換することができるため、様々な種類の光中継機能モジュールを共通の電気回路部１０６に適用することが可能となる。
【００６３】
即ち、共通のホストボード１０１を用いながら、様々な種類の光中継機能モジュールを適用可能とすることができるために、装置全体の製造コストを低減するとともに、ホストボード１０１の在庫を低減することができ、さらには、装置の短期間での製造・提供が可能となる。
【００６４】
さらに、アダプタ部２０２を容易に交換可能であるために、要望に応じて様々な利用形態に柔軟に対応することが可能となる。また、光増幅モジュール２０８またはアダプタ部２０２を部分的に交換することができるため、故障時等における迅速な対応が可能となる。
【産業上の利用可能性】
【００６５】
本発明は、光ファイバを媒体として通信を行うための光通信装置及び光通信装置用アダプタ部に関し、特に、光信号を中継するための装置の構成に適用可能である。
【図面の簡単な説明】
【００６６】
【図１】本発明の実施例１に係る光通信装置の構成を示すブロック図である。
【図２】本発明の実施例２に係る光通信装置の構成を示すブロック図である。
【図３】従来の光中継装置の構成を示すブロック図である。
【図４】光送受信モジュールの構成を示すブロック図である。
【図５】従来の光増幅装置の構成を示すブロック図である。
【符号の説明】
【００６７】
１０１  ホストボード
１０２，２０２  アダプタ部
１０３  電源ポート
１０４  通信ポート
１０６  電気回路部
１０８，１０９  光送受信モジュール
１１０，１１１  光送受信モジュール接続用パラレルコネクタ
１１２  電気回路部接続用パラレルコネクタ
２０８  光増幅モジュール
２１０  光増幅モジュール接続用パラレルコネクタ
【図１】
2007312266.tif 000005
【図２】
2007312266.tif 000006
【図３】
2007312266.tif 000007
【図４】
2007312266.tif 000008
【図５】
2007312266.tif 000009